(57)【要約】【課題】  キャップ部材の頂部の窓にレンズを形成した半導体レーザー等用のレンズキャップにおいて、このレンズを、収差が大きい球レンズに代えて、非球面レンズを形成する場合、従来の方法では、キャップ部材を切削加工品や、複雑な形状のプレス成形品を使用しているため、コストが高い【解決手段】  そこで本発明では、頂部４に、ひとみ径に対応して径が設定された開口が形成されたキャップ部材の、前記開口の周縁部を挟んで頂部の内外側に渡って又は開口５とその周縁部７の内側に渡ってレンズ８が成形され、内側の部分ａの外周はキャップ部材の側部内壁ｂ及び頂部内壁ｃに当接しているレンズキャップ９を提案している。このことから本発明では、安価で高性能なレンズキャップを提供できる。【選択図】    図８
2007310379.tif 000002
【特許請求の範囲】
【請求項１】
頂部に開口が形成されたキャップ部材の、前記開口の周縁部を挟んで頂部の内外側に渡ってレンズが成形され、内側の部分はキャップ部材の側部内壁及び頂部内壁に当接していることを特徴とするレンズキャップ。
【請求項２】
頂部に開口が形成されたキャップ部材の、前記開口と、その周縁部の内側に渡ってレンズが成形され、内側の部分はキャップ部材の側部内壁及び頂部内壁に当接していることを特徴とするレンズキャップ。
【請求項３】
キャップ部材の開口の径が、レンズの所望のひとみに対応して設定されていることを特徴とする請求項１又は２に記載のレンズキャップ
【請求項４】
キャップ部材が、プレス成形により形成されたものであることを特徴とする請求項１〜３のいずれか１項に記載のレンズキャップ
【請求項５】
レンズが、成形金型の上型と下型の間の空間内にキャップ部材の頂部とレンズ母材を配置して、レンズ母材の熱間加工により成型されたものであることを特徴とする請求項１〜４のいずれか１項に記載のレンズキャップ
【請求項６】
レンズ母材が球状であり、頂部の開口を通して配置されることを特徴とする請求項５に記載のレンズキャップ。
【請求項７】
レンズ母材が平板状であり、キャップ部材と下型の間に配置されることを特徴とする請求項５に記載のレンズキャップ。
【請求項８】
レンズの硝子材が、Ｍ−ＢＡＣＤ５Ｎであることを特徴とする請求項１〜７までのいずれか１項に記載のレンズキャップ。
【請求項９】
レンズの硝子材が、Ｓ−ＮＳＬ３６であることを特徴とする請求項１〜７までのいずれか１項に記載のレンズキャップ。
【発明の詳細な説明】
【技術分野】
【０００１】
本発明は、半導体レーザー等に用いられるレンズキャップに関するものである。
【背景技術】
【０００２】
半導体レーザーは、空気中では酸素や水分の影響で劣化するため、多くは、気密性の高いパッケージで覆って窒素雰囲気に維持し、出力光はパッケージを構成するキャップの頂部に設けたガラス窓を通して取り出す構成としている。
【０００３】
一方、光通信等の半導体レーザーの利用分野においては、半導体レーザーの出力光を効率よく光ファイバーに結合するために、焦点距離１mm程度のレンズを半導体レーザーの極めて近傍に配置している。
【０００４】
これらの２つの要求を満たすために、頂部の窓にレンズを構成したキャップ、いわゆるレンズキャップをパッケージの一部として使用した半導体レーザーが製造されている。
【０００５】
このようなレンズキャップを製造する従来の方法としては、以下に示すような方法がある。
まず特許文献１では、板金プレスにより、円筒部の底部にフランジ状平坦部を形成すると共に、頂部にレンズ装着用開口が形成された、いわゆるハット型形状のキャップ部材を用い、そのレンズ装着用開口に球レンズを装着し、フリットガラスを接着剤として用いて接合して保持している。
【０００６】
次に特許文献２では、キャップ部材の頂部のレンズ装着用開口に円柱状レンズをぐらつくことなく確実に接合して保持するために、頂部の取付板部の中心部に、折返筒部を、キャップの外筒部と同心状に折返し形成することにより、生産コストの高い切削加工でなく、生産コストの安いプレス成形によりキャップ部材を製造可能としたものである。
【特許文献１】特開平６−２０１９６２号公報
【特許文献２】特開平５−１１９２４１号公報
【発明の開示】
【発明が解決しようとする課題】
【０００７】
上述した特許文献１に記載のものは、キャップ部材に球レンズを接合するものであるが、球レンズは収差が大きく、半導体レーザーの出力光で、光ファイバーに入力できる光の割合、即ち、結合効率は２０％程度と低い。このため、結合効率を上げる場合には収差を落とした非球面レンズが用いられるが、非球面レンズをキャップ部材に接合する場合には、球レンズと異なり、レンズの傾きを一般的に0.1度以下で接合する必要があるため、特許文献１の方法を使用することはできない。
【０００８】
このため、特許文献２に従来技術として記載されているように、キャップ部材を精度の高い切削金属部品として製造し、そのレンズ装着用開口の内部に非球面レンズをフリットガラスで接合しているが、この方法では切削部品が高価である。
【０００９】
上述した特許文献２に記載の発明では、従来の切削金属部品を板金プレス成形品として構成することにより、このような課題の解決を図るものであるが、板金プレス成形品ではあっても、その形状が複雑であって、金型も複雑になるため、従来の一般的な板金プレス成形品を用いるよりもコストが上がってしまう。
【００１０】
一方、本発明者はレンズキャップのレンズを通しての結合効率の向上に付き、鋭意研究の結果、結合効率はひとみ径のある範囲において大きくなり、ピークを有するとの知見を得た。これは、ひとみ径が小さい場合には、光がけられることでレンズを通過する光量が少なくなるため、結果として結合効率が悪くなり、またひとみ径が大きい場合には、レンズの収差の影響により、本来一点に収束される光量がずれ、その際、干渉の影響で光が打ち消しあうために光ファイバ等の結合面において光強度が低下することにより結合効率が悪くなると考えられる。
本発明は以上に説明した従来の課題を解決し、レンズの接合強度と気密性の向上を図ると共に、結合効率の向上を図ることを目的とするものである。
【課題を解決するための手段】
【００１１】
以上の課題を解決するために、本発明では、頂部に開口が形成されたキャップ部材の、前記開口の周縁部を挟んで頂部の内外側に渡ってレンズが成形され、内側の部分はキャップ部材の側部内壁及び頂部内壁に当接しているレンズキャップを提案する。
【００１２】
また本発明では、頂部に開口が形成されたキャップ部材の、前記開口と、その周縁部の内側に渡ってレンズが成形され、内側の部分はキャップ部材の側部内壁及び頂部内壁に当接しているレンズキャップを提案する。
【００１３】
また本発明では、キャップ部材の開口の径が、レンズの所望のひとみに対応して設定されていることを提案する。
【００１４】
また本発明では、以上の構成において、キャップ部材が、プレス成形により形成されたものであることを提案する。
【００１５】
また本発明では、以上の構成において、レンズは、成形金型の上型と下型の間の空間内にキャップ部材の頂部とレンズ母材を配置して、レンズ母材の熱間加工により成型されたものであることを提案する。
【００１６】
また本発明では、以上の構成のレンズキャップにおいて、レンズ母材が球状であり、頂部の開口を通して配置されることを提案する。
【００１７】
また本発明では、以上の構成にレンズキャップにおいて、レンズ母材が平板状であり、キャップ部材と下型の間に配置されることを提案する。
【００１８】
また本発明では、以上の構成のレンズキャップにおいて、レンズの硝子材が、Ｍ−ＢＡＣＤ５Ｎであること、又はＳ−ＮＳＬ３６とすることを提案する。
【発明の効果】
【００１９】
本発明においては、レンズは、キャップ部材の頂部の開口の周縁部を挟んで頂部の内外側に渡って又は開口とその周縁部の内側に成形されるものであるため、熱間加工等による成形時に、キャップ部材の基準面を、形成されるレンズに対して高精度に位置決めすることができる。
【００２０】
従ってキャップ部材として、形状が複雑でなく、加工精度が高くないプレス成形品を使用しても、適宜の形状のレンズ、即ち非球面レンズを、キャップ部材の基準面に対して高精度に位置決めして形成することができる。
【００２１】
図に示すように、レンズを形成するガラスは、キャップ部材の開口の内部だけでなく開口の内外側周縁まで、又は内側周縁まで形成され、特に、キャップ部材の内側に対応する部分においては、キャップ部材の側部内壁及び頂部内壁に当接しているので、キャップ部材との接触面積が非常に大きく、いわゆるかしめ効果が大きくなることにより気密性が向上すると共に、接合強度も向上したレンズキャップを得ることができる。また、このようにかしめ効果が大きいため、キャップ部材１とガラスの熱膨張率の差を大きくすることも可能となり、材料選定の幅が広がる。
【００２２】
また、開口の周縁に形成されるレンズの部分は、実際上はレンズとして機能する部分ではないので、寸法的な制約はなく、従ってこの部分によりレンズ母材の余剰分を吸収することができるので、レンズ母材の体積の許容誤差を大きくすることができ、この点もコストの低減に寄与する。
【００２３】
キャップ部材の開口は、所望のひとみ径に対応して径を設定することにより、レンズのひとみとして使用することができ、結合効率を含め、レンズの性能を向上することができる。
【００２４】
レンズ母材として平板状のものを用いる場合には、平面部のみを鏡面に仕上げれば良いので、球状のレンズ母材を用いる場合と比較して低コストとすることができると共に、キャップ部材と下型の間に配置することにより、頂部の開口部の径が小さい場合にも、必要十分な量のレンズ母材を配置することができる。
【００２５】
レンズの硝子材として、Ｍ−ＢＡＣＤ５ＮやＳ−ＮＳＬ３６を使用した場合には、広く使用されているＳＦ６６と比較すると、鉛を含有していないため環境に対して好ましく、また屈折率と表面反射率が共に小さいので、表面反射が小さく、これによりレンズの表面への反射防止膜のコーティングを省略するという選択が可能となる。
【発明を実施するための最良の形態】
【００２６】
次に本発明の実施の形態を添付の図面を参照して説明する。
まず図１〜図４は第一の実施の形態を示すもので、図１はレンズキャップの断面図であり、また図２、図３は図１のレンズキャップを製造する装置の、夫々レンズ成形前、レンズ成形後の断面図である。そして図４は図１のレンズキャップを使用して製造された半導体レーザーモジュールの一部断面図である。
【００２７】
これらの図において、符号１はキャップ部材であり、このキャップ部材１は、従来から用いられているハット型形状の金属プレス成形品と同様な形状を有している。即ち、キャップ部材１は、円筒部２の下部側の外周にフランジ状平坦部３が突出しており、また上部側には平坦な頂部４が形成され、この頂部４には開口５が形成される共に、フランジ状平坦部３の下面には溶接用のプロジェクション６が形成された形状を有する。このキャップ部材１はプレス成形加工により安価に製造することができる。
【００２８】
図１に示すように、この実施の形態では、上記キャップ部材１の上記開口５の周縁部７を挟んで頂部４の内外側に渡ってレンズ８が形成され、内側の部分ａの外周はキャップ部材１の側部内壁ｂに当接しているレンズキャップ９を特徴とするもので、このレンズキャップ９は、例えば図２、図３に示す製造装置により容易に製造することができる。
【００２９】
即ち、図２、図３において、符号１０はレンズの上型、１１はレンズの下型、１２は胴型であり、上型１０は、この胴型１２に沿って昇降可能に構成している。下型１１はレンズ８の凸面に対応する凹面の周囲に、平坦部ｄが幅広く形成されていて、その端部がキャップ部材１の側部内壁ｂの近傍に位置している。そしてキャップ部材１は、保持部材１３、１４により、フランジ状平坦部３と頂部４が保持されて、上記上型１０と下型１１の間の空間に、成形されるレンズとの基準となる位置に高精度に確実に保持される。
【００３０】
以上の構成において、図２に示すように上型１０と下型１１の間の空間にレンズ母材１５を配置し、この状態において上型１０を下降すると共に所定の熱を加えて、上型１０と下型１１によりレンズ母材１５のガラスを熱間加工すると、図３に示すように上型１０と下型１１により、開口５に対応して頂部の内外側に渡るレンズ８が形成されると共に、レンズ母材１５の残りの部分が上型１０と下型１１の横方向に移動して開口５の周縁の内外側に位置し、内側の部分ａはキャップ部材１の頂部４と下型１１との間の空間に充満して、その外周はキャップ部材１の側部内壁ｂに当接する。こうして図１に示すレンズキャップ９を製造することができる。
【００３１】
この熱間加工に際して、キャップ部材１の頂部４は、上型１０及び下型１１のいずれにも接触しないので、上述した正確な位置の保持が狂うことがなく、こうして、キャップ部材１は、成形されるレンズ８との基準となる位置に確実に保持した状態でレンズ８を成形することができ、従って、本発明では、成形時に、レンズ８をキャップ部材１の基準面、例えばフランジ状平坦部３に対して高精度に位置決めすることができる。
【００３２】
従ってキャップ部材１として、加工精度の低いプレス成形品を使用しても、キャップ部材１の基準面に対して高精度に位置決めされた、適宜の形状のレンズ８を有するレンズキャップ９を得ることができる。
【００３３】
この際、レンズ８を形成するガラスは、キャップ部材１の開口５の内側だけでなく開口５の周縁７まで形成され、特に、キャップ部材１の内側の部分ａにおいてはキャップ部材１の側部内壁ｂと頂部内壁ｃに当接しているので、キャップ部材１との接触面積が非常に大きく、気密性に優れると共に、接合強度にも優れたレンズキャップ９を得ることができる。
【００３４】
尚、開口５の周縁７に形成されるレンズの部分は、実際上はレンズとして機能する部分ではないので、内側の部分ａの外周がキャップ部材１の側部内壁に当接する限りにおいては寸法的な制約はない。従ってこの部分によりレンズ母材１５の余剰分を吸収することができるので、レンズ母材１５の体積の許容誤差を大きくすることができ、この点もコストの低減に寄与する。
【００３５】
以上のように製造されたレンズキャップ９は、図４に示すように、半導体レーザー１６を保持したステム１７に対して、所定の位置決めを行った状態で、フランジ状平坦部３をステム１７の上面に溶接により固定することにより、気密パッケージの半導体レーザーモジュールを製造することができ、半導体レーザー１６の出力光は、正確に位置決めされた非球面レンズ等のレンズ８を介して高効率に取り出すことができる。
【００３６】
次に第１の実施形態のレンズキャップ９を用いた半導体レーザーモジュールの具体的な実施例は以下のとおりである。
レンズ硝子材：M-BACD5N  又は  S-NSL36
キャップ部材：50％NiFe（又はコバール）
焦点距離：0.9mm    半導体レーザー側ＮＡ：0.5    結合倍率：4倍
透過波面収差：0.03波長      半導体レーザーのＮＡ：0.4
及び光ファイバーのＮＡ：0.1の時の結合効率：約80％
【００３７】
ここで以上の半導体レーザーモジュールにおいて、まずレンズ性能上、特に重要な点は、２つのレンズ面の形状と、２つのレンズ面の光軸からのずれ（ディセンタ）である。また半導体レーザーとの取付において重要なのは、レンズキャップ９の基準面となるフランジ状平坦部３とレンズ８までの距離（ＷＤ）と、フランジ状平坦部３に対する傾き（エレメントチルト）である。図２、図３に示す製造装置により図１のレンズキャップを製造することにより、
ディセンタ：５ミクロン、  ＷＤ：２０ミクロン、エレメントチルト０．５度以下の精度を得ることができた。
【００３８】
次に図５は本発明に係るレンズキャップ９の第２の実施の形態を示すものである。この実施の形態は、上記開口５の径を上記第１の実施の形態よりも小さく構成したもので、他の構成は図１と同様であるので、対応する構成要素には同一の符号を付して、重複する説明は省略する。
【００３９】
この第２の実施の形態では、キャップ部材１の開口５を小さくして、レンズ８のひとみとして機能させることにより、レンズ８の性能を向上を図ることができる。即ち、開口５を小さくしてひとみとして機能させ、球面収差が問題となるレンズ外周側の光線を遮断することができるため、像は暗くなるもののボケを無くすことができる。このため例えば半導体レーザー１６と光ファイバー（図示省略）との結合においては、ひとみ径、即ち開口５の径を最適化して設定することにより結合効率を上げることができる。
【００４０】
この第２の実施の形態のレンズキャップの製造装置を図６、図７に示している。この製造装置は、図２、図３と同様な構成要素から成るもので、概ね、レンズの上型１０、下型１１と、上型１０を昇降可能に案内する胴型１２とから構成される。下型１１の周囲にはキャップ部材１の下部側を保持するための保持部材１３を装着しており、またその上側にはキャップ部材１の上部側を保持するための保持部材１４を装着している。
【００４１】
この製造装置ではレンズの成型に際して、まず下型１１の上面に平板状のレンズ母材１５を載置し、次いでキャップ部材１をレンズ母材１５を介して下型１１の上部側に装着し、次に胴型１２に嵌合した保持部材１４をキャップ部材１に嵌合する。
【００４２】
保持部材１４の内径は、キャップ部材１の円筒部２の外径よりも僅かに大きく形成しており、このことから、キャップ部材１は、保持部材１４により、上型１０及び下型１１に対して横方向の所定位置に保持される。そして保持部材１４に嵌合した上型１０をキャップ部材１の頂部に当接させる。
【００４３】
この状態においては、図７から分かるように、キャップ部材１は、レンズ母材１５によって、下型１１に対しての所定位置よりも上方に保持されており、このような保持を可能とするために、保持部材１３には、キャップ部材１のフランジ状平坦部３が昇降可能な空間部１８が形成されている。
【００４４】
以上の状態において、上型１０を下降すると共に所定の熱を加えて、上型１０と下型１１によりレンズ母材１５のガラスを熱間加工すると、図８に示すように、上型１０と下型１１により、開口５及びその周囲に対応して所定のレンズ８が形成されると共に、レンズ母材１５の余剰分が下型１１の横方向にはみ出して開口５の周縁の内側に位置し、こうして図６に示すレンズキャップ９を製造することができる。
【００４５】
この第２の実施の形態のレンズキャップ１では、その製造に際して、レンズ母材１５として平板状のものを用いているので、平面部のみを鏡面に仕上げれば良く、従って図２に示すように球状のレンズ母材１５を用いる場合と比較して低コストとすることができると共に、開口５をひとみ径に対応して図１のものと比較して小さく形成しているにもかかわらず、必要十分な量のレンズ母材を配置することができる。
【００４６】
次に図８〜図１０は本発明に係るレンズキャップ９の第３の実施の形態を示すもので、図８はレンズキャップ９の断面図、図９、図１０は図６のレンズキャップ９を成型するための装置の断面図である。
この実施の形態は、キャップ部材１の上記開口５の径を第２の実施の形態と同様に小さく構成すると共に、レンズ８は、前記開口５と、その周縁部７の内側に形成したものである。
【００４７】
製造装置は、上型１０の形状のみ異なる他は、図６、図７と同構成であり、成形における動作も同様であるため、対応する構成要素に同一の符号を付して、重複する説明は省略する。
【００４８】
この第３の実施の形態のレンズキャップ１では、第２の実施の形態と同様に、キャップ部材１の開口５を小さくして、レンズ８のひとみとして機能させることにより、レンズ８の性能を向上することができると共に、レンズ８がキャップ部材１の頂部４の外側に形成されていないため、この頂部４に、例えば光ファイバーの支持部材や、第２レンズ等の支持部材を溶接する際に邪魔となることが少なくなる。
【００４９】
次に第３の実施の形態のレンズキャップ９の具体的な実施例は以下のとおりである。
レンズ硝子材：ＳＦ６６  第１面の半径：１mm  第２面の半径：-0.5mm
レンズ中心肉厚：0.8mm  ひとみ径（開口５の直径）：0.4mm
【００５０】
以上の第３の実施の形態のレンズキャップ９につき、ひとみ径を変化させた場合の半導体レーザーと光ファイバーの結合効率の変化を、レンズの収差を考慮してシミュレートして示すと、図１１に示すとおりである。但し、半導体レーザーのＮＡ：0.4  及び光ファイバーのＮＡ：0.1である。
図１１によれば、第３の実施の形態のレンズキャップにおける結合効率は、ひとみ径（直径）の、ある範囲、例えば0.32〜0.42（mm）において37％以上と大きくなり、0.36〜0.38（mm）において最大の44％となる。
図１１に示されるように、結合効率がひとみ径のある範囲において大きくなり、ピークを有する理由は、ひとみ径が小さい場合には、光がけられることでレンズを通過する光量が少なくなるため、結果として結合効率が悪くなり、またひとみ径が大きい場合には、レンズの収差の影響により、本来一点に収束される光量がずれ、その際、干渉の影響で光が打ち消しあうために光ファイバ等の結合面において光強度が低下することにより結合効率が悪くなると考えられる。また開口の径が0.48を越えて一定となるのは、収差の影響を受ける光が、更に出射されるものの、結合面を外れて進むため、結合効率に影響を与えないためと考えられる。
【００５１】
以上のことから、上記の第３の実施の形態におけるレンズキャップの具体的な実施例においては、レンズキャップ９の開口の直径を0.36〜0.38（mm）に設定することにより最大の44％の結合効率を得ることができる。
【００５２】
尚、ひとみ径に対応する開口の直径と結合効率の対応関係は、使用するレーザダイオードのＮＡや波長の違い、レンズの硝子材、レンズ面の形状等の、種々の設計諸元により異なるため、その設計においては、これらの諸元を考慮する必要がある。
【産業上の利用可能性】
【００５３】
本発明は以上のとおりであるので、以下に示すような数々の利点があり、安価で高性能なレンズキャップを提供できることから、産業上の利用可能性大である。
１．キャップ部材として、プレス成形品を使用することができるので、切削加工品を使用するよりもコストを低減することができる。
２．キャップ部材は特殊な形状とする必要がなく、一般的なハット型形状のプレス成形品を使用することができるので、特殊な形状のものを使用するよりもコストを低減することができる。
３．熱間加工等による成形時に、キャップ部材の基準面を、形成されるレンズに対して高精度に位置決めすることができ、加工精度が高くないプレス成形品を使用しても、適宜の形状のレンズ、即ち非球面レンズを、キャップ部材の基準面に対して高精度に位置決めして形成することができる。
４．キャップ部材の開口をレンズのひとみとして使用することにより、レンズの性能を向上することができ、半導体レーザーと光ファイバーとの結合効率を上げることができる。
５．レンズを形成するガラスは、キャップ部材の開口の内部だけでなく開口の内外側周縁まで、又は内側周縁まで形成され、特に、キャップ部材の内側に対応する部分においては、キャップ部材の側部内壁及び頂部内壁に当接しているので、キャップ部材との接触面積が非常に大きく、いわゆるかしめ効果により気密性に優れると共に、接合強度にも優れたレンズキャップを得ることができる。また、このようにかしめ効果が大きいため、キャップ部材１とガラスの熱膨張率の差を大きくすることも可能となり、材料選定の幅が広がる。
６．レンズ母材の余剰分を吸収することができるので、レンズ母材の体積の許容誤差を大きくすることができ、この点もコストの低減に寄与する。
７．レンズ母材として平板状のものを用いる場合には、平面部のみを鏡面に仕上げれば良いので、球状のレンズ母材を用いる場合と比較して低コストとすることができる。
８．レンズの硝子材として、Ｍ−ＢＡＣＤ５Ｎ又はＳ−ＮＳＬ３６を使用すれば、鉛フリーを実現することができると共に、屈折率と表面反射率が共に小さいので、表面反射が小さく、これによりレンズの表面への反射防止膜のコーティングを省略するという選択が可能となる。
【図面の簡単な説明】
【００５４】
【図１】本発明に係るレンズキャップの第１の実施の形態を示す断面図である。
【図２】図１のレンズキャップを製造する装置の実施の形態を示す断面図で、成形前の状態である。
【図３】図１のレンズキャップを製造する装置の実施の形態を示す断面図で、成形後の状態である。
【図４】図１のレンズキャップを使用して製造された半導体レーザーモジュールの例を示す一部断面図である。
【図５】本発明に係るレンズキャップの第２の実施の形態を示す断面図である。
【図６】図５のレンズキャップを製造する装置の実施の形態を示す断面図で、成形前の状態である。
【図７】図５のレンズキャップを製造する装置の実施の形態を示す断面図で、成形後の状態である。
【図８】本発明に係るレンズキャップの第３の実施の形態を示す断面図である。
【図９】図８のレンズキャップを製造する装置の実施の形態を示す断面図で、成形前の状態である。
【図１０】図８のレンズキャップを製造する装置の実施の形態を示す断面図で、成形後の状態である。
【図１１】ひとみ径を変化させた場合の半導体レーザーと光ファイバーの結合効率の変化を、レンズの収差を考慮してシミュレートして示す説明図である。
【符号の説明】
【００５５】
１                            キャップ部材
２                            円筒部
３                            フランジ状平坦部
４                            頂部
５                            開口
６                            プロジェクション
７                            周縁部
８                            レンズ
９                            レンズキャップ
１０                          上型
１１                          下型
１２                          胴型
１３、１４                    保持部材
１５                          レンズ母材
１６                          半導体レーザー
１７                          ステム
１８                          空間部
ａ                            レンズの内側の部分
ｂ                            キャップ部材の側部内壁
ｃ                            キャップ部材の頂部内壁
ｄ                            平坦部
【図１】
2007310379.tif 000003
【図２】
2007310379.tif 000004
【図３】
2007310379.tif 000005
【図４】
2007310379.tif 000006
【図５】
2007310379.tif 000007
【図６】
2007310379.tif 000008
【図７】
2007310379.tif 000009
【図８】
2007310379.tif 000010
【図９】
2007310379.tif 000011
【図１０】
2007310379.tif 000012
【図１１】
2007310379.tif 000013